(57)【要約】【課題】表示シートに高精度の画像を書き込むことのできる書き込み装置を提供すること。【解決手段】書き込み装置１は、表示シート９を載置する載置部２ａと、表示シート９を介して対向する複数の画素電極２２および共通電極３１と、画素電極２２および共通電極３１間に電圧を印加する電圧印加手段４と、電圧印加手段４の作動を制御する制御手段５と、表示面９２１に表示させる画像データＤａを保持する画像データ保持部６と、画像データＤａを鏡像に反転させる画像データ反転部７１とを有し、表示シート９を、表示面９２１が画素電極２２側に位置するように載置部２ａに載置した状態において、制御手段５は、画像データ反転部７１により反転された画像データＤａ’に基づいて、画素電極２２と共通電極３１との間に所定電圧を印加するように電圧印加手段４の作動を制御する。【選択図】図３
2011043770.tif 000002
【特許請求の範囲】
【請求項１】
表示シートの表示面に、所望の画像を書き込む書き込み装置であって、
前記表示シートを載置する載置部と、
前記載置部に前記表示シートを載置した状態にて、前記表示シートを介して対向する複数の画素電極および共通電極と、
各前記画素電極および前記共通電極間に電圧を印加する電圧印加手段と、
前記電圧印加手段の作動を制御する制御手段と、
前記表示面に表示させる画像データを保持する画像データ保持部と、
前記画像データ保持部に保持された前記画像データを鏡像反転させる画像データ反転部とを有し、
前記表示シートを、前記表示面が前記画素電極側に位置するように前記載置部に載置した状態において、前記制御手段は、前記画像データ反転部により鏡像反転された前記画像データに基づいて、各前記画素電極と前記共通電極との間に所定電圧を印加するように前記電圧印加手段の作動を制御することを特徴とする書き込み装置。
【請求項２】
前記画像データ反転部により反転された前記画像データをポジティブ画像としたとき、前記ポジティブ画像をネガティブ画像に変換するポジ／ネガ変換部を有し、
前記制御手段は、前記画像データ反転部により反転されるとともに、前記ポジ／ネガ変換部によりネガティブ変換された前記画像データに基づいて、前記電圧印加手段の作動を制御する請求項１に記載の書き込み装置。
【請求項３】
表示シートの表示面に、所望の画像を書き込む書き込み装置であって、
前記表示シートを載置する載置部と、
前記載置部に前記表示シートを載置した状態にて、前記表示シートを介して対向する複数の画素電極および共通電極と、
各前記画素電極および前記共通電極間に電圧を印加する電圧印加手段と、
前記電圧印加手段の作動を制御する制御手段と、
前記表示面に表示させる画像データを保持する画像データ保持部と、
前記画像データ保持部に保持された前記画像データをポジティブ画像としたとき、前記ポジティブ画像をネガティブ画像に変換するポジ／ネガ変換部と、
前記ポジ／ネガ変換部により変換された前記画像データを鏡像反転させる画像データ反転部とを有し、
前記表示シートを、前記表示面が前記画素電極側に位置するように前記載置部に載置した状態において、前記制御手段は、前記ポジ／ネガ変換部によりポジティブ画像に変換されるとともに、前記画像データ反転部により鏡像反転された前記画像データに基づいて、各前記画素電極と前記共通電極との間に所定電圧を印加するように前記電圧印加手段の作動を制御することを特徴とする書き込み装置。
【請求項４】
表示シートの表示面に、所望の画像を書き込む書き込み装置であって、
前記表示シートを載置する載置部と、
前記載置部に前記表示シートを載置した状態にて、前記表示シートを介して対向する複数の画素電極および共通電極と、
各前記画素電極および前記共通電極間に電圧を印加する電圧印加手段と、
前記電圧印加手段の作動を制御する制御手段と、
前記表示面に表示させる画像データを保持する画像データ保持部と、
前記画像データ保持部に保持された前記画像データを鏡像反転させるとともに、ネガティブ画像に変換する画像データ補正部とを有し、
前記表示シートを、前記表示面が前記画素電極側に位置するように前記載置部に載置した状態において、前記制御手段は、前記画像データ補正部により補正された前記画像データに基づいて、各前記画素電極と前記共通電極との間に所定電圧を印加するように前記電圧印加手段の作動を制御することを特徴とする書き込み装置。
【請求項５】
前記画像データは、前記表示シートを、前記表示面が前記共通電極側に位置するように前記載置部に載置した状態において前記表示面に書き込まれる前記所望の画像に対応するものである請求項１ないし４のいずれかに記載の書き込み装置。
【請求項６】
前記画素電極および前記共通電極が前記表示シートと接触した状態で、前記電圧印加手段による電圧印加が行われる請求項１ないし５のいずれかに記載の書き込み装置。
【請求項７】
前記載置部に前記表示シートを押し当てる押し当て部材を有している請求項１ないし６のいずれかに記載の書き込み装置。
【請求項８】
前記共通電極は、前記押し当て部材に設けられている請求項７に記載の書き込み装置。
【請求項９】
前記載置部が設けられた本体と、
前記本体に対して回動可能なように、前記本体と連結した蓋体とを有し、
前記蓋体は、前記押し当て部材を兼ねている請求項７または８に記載の書き込み装置。
【請求項１０】
前記共通電極は、前記表示シートに設けられている請求項７に記載の書き込み装置。
【請求項１１】
前記表示シートは、電気泳動粒子を収容する収容部を有する表示層を備える請求項１ないし１０のいずれかに記載の書き込み装置。
【請求項１２】
前記収容部は、マイクロカプセルである請求項１１に記載の書き込み装置。
【請求項１３】
表示面を有する表示シートを載置する載置部と、前記載置部に前記表示シートを載置した状態にて、前記表示シートを介して対向する複数の画素電極および共通電極と、各前記画素電極および前記共通電極間に電圧を印加する電圧印加手段とを有する表示装置の動作を制御し、
前記表示装置は、前記表示シートを前記表示面が前記画素電極側に位置するように前記載置部に載置した状態において、前記電圧印加手段によって、各前記画素電極と前記共通電極との間に所定電圧を印加することにより、前記表示シートの表示面に所望の画像を書き込む書き込み装置であって、
前記表示面に表示させる画像データを保持する画像データ保持部と、
前記画像データ保持部に保持された前記画像データを鏡像反転させる画像データ反転部と、
前記画像データ反転部により鏡像反転された前記画像データに基づいて、各前記画素電極と前記共通電極との間に所定電圧を印加するように前記電圧印加手段の作動を制御する制御手段とを有することを特徴とする書き込み装置。
【請求項１４】
表示面を有する表示シートを載置する載置部と、前記載置部に前記表示シートを載置した状態にて、前記表示シートを介して対向する複数の画素電極および共通電極と、各前記画素電極および前記共通電極間に電圧を印加する電圧印加手段とを有する表示装置の動作を制御し、
前記表示装置は、前記表示シートを前記表示面が前記画素電極側に位置するように前記載置部に載置した状態において、前記電圧印加手段によって、各前記画素電極と前記共通電極との間に所定電圧を印加することにより、前記表示シートの表示面に所望の画像を書き込む書き込み装置であって、
前記表示面に表示させる画像データを保持する画像データ保持部と、
前記画像データ保持部に保持された前記画像データをポジティブ画像としたとき、前記ポジティブ画像をネガティブ画像に変換するポジ／ネガ変換部と、
前記ポジ／ネガ変換部により変換された前記画像データを鏡像反転させる画像データ反転部と、
前記ポジ／ネガ変換部によりポジティブ画像に変換されるとともに、前記画像データ反転部により鏡像反転された前記画像データに基づいて、各前記画素電極と前記共通電極との間に所定電圧を印加するように前記電圧印加手段の作動を制御する制御手段とを有することを特徴とする書き込み装置。
【請求項１５】
表示面を有する表示シートを載置する載置部と、前記載置部に前記表示シートを載置した状態にて、前記表示シートを介して対向する複数の画素電極および共通電極と、各前記画素電極および前記共通電極間に電圧を印加する電圧印加手段とを有する表示装置の動作を制御し、
前記表示装置は、前記表示シートを前記表示面が前記画素電極側に位置するように前記載置部に載置した状態において、前記電圧印加手段によって、各前記画素電極と前記共通電極との間に所定電圧を印加することにより、前記表示シートの表示面に所望の画像を書き込む書き込み装置であって、
前記表示面に表示させる画像データを保持する画像データ保持部と、
前記画像データ保持部に保持された前記画像データを鏡像反転させるとともに、ネガティブ画像に変換する画像データ補正部と、
前記画像データ補正部により補正された前記画像データに基づいて、各前記画素電極と前記共通電極との間に所定電圧を印加するように前記電圧印加手段の作動を制御する制御手段とを有することを特徴とする書き込み装置。
【発明の詳細な説明】
【技術分野】
【０００１】
本発明は、書き込み装置に関する。
【背景技術】
【０００２】
例えば、電子ペーパーの表示部を構成するものとして、粒子の電気泳動を利用した表示シートが知られている。このような表示シートは、例えば、白色粒子および黒色粒子を分散させた電気泳動分散液が充填されたマイクロカプセルを複数備える表示層を有している。また、このような電子ペーパーに所望の画像を書き込むための書き込み装置も知られている（例えば、特許文献１参照）。
【０００３】
特許文献１に記載の書き込み装置（情報入力装置）は、電子ペーパー（電気泳動表示シート）を載置する本体部と、本体部に載置された電子ペーパーを上から押さえ込む押さえ部と、ペン型位置指示器とを有している。また、特許文献１の書き込み装置では、本体部に、電子ペーパーと接触するように設けられたマトリクス電極部（複数のドット電極）が形成されているとともに、押さえ部には、透明電極が形成されている。
【０００４】
特許文献１の書き込み装置は、電子ペーパーの表示面を透明電極側に位置させるようにして、電子ペーパーを本体部と押さえ部とで挟み込んだ状態にて、操作者がペン型位置指示器を持ち、押さえ部材上で所望の軌跡を描くと、ペン型位置指示器から送信される所定の信号に基づいて、本体部に内蔵された制御部が、前記軌跡（すなわち、ペン型位置指示器の座標）を検出し、マトリクス電極部（複数のドット電極）の中から、前記軌跡に対応するドット電極を選択し、選択したドット電極と透明電極との間に電圧を印加する。これにより、電子ペーパーの表示面のうち、前記軌跡に対応する部分の表示色が変化し、前記軌跡に対応した画像が、電子ペーパーの表示面に書き込まれる。
【０００５】
ここで、図１７に示すように、所定の１つのドット電極１００と透明電極１０１との間に電圧を印加した場合、ドット電極１００から透明電極１０１に向けて拡散するような磁界が生じる。したがって、ドット電極１００と透明電極１０１との間に電圧を印加した場合、表示シートの表示面側では、実際には、ドット電極１００の領域よりも大きな領域に電界が作用している。そのため、特許文献１の書き込み装置では、表示面に表示される画像の精細度を高めることができない。
【０００６】
さらには、図１８に示すように、前記電界が作用すると、ドット電極１００と透明電極１０１との間に位置するマイクロカプセルの周囲に位置するマイクロカプセルでは、黒色粒子および白色粒子が、それぞれ、表示シートの厚さ方向に対して傾いた方向に偏在する。そのため、本来、表示面側からは視認されるはずのない、表示面と反対の面側に偏在する白色粒子が視認されてしまい、表示特性が悪化する（すなわち、高精度の画像を表示することができない）。
【先行技術文献】
【特許文献】
【０００７】
【特許文献１】特開２００７−２０６８４６号公報
【発明の概要】
【発明が解決しようとする課題】
【０００８】
本発明の目的は、表示シートに所望の画像を高精度に書き込むことのできる書き込み装置を提供することにある。
【課題を解決するための手段】
【０００９】
このような目的は、下記の本発明により達成される。
本発明の書き込み装置は、表示シートの表示面に、所望の画像を書き込む書き込み装置であって、
前記表示シートを載置する載置部と、
前記載置部に前記表示シートを載置した状態にて、前記表示シートを介して対向する複数の画素電極および共通電極と、
各前記画素電極および前記共通電極間に電圧を印加する電圧印加手段と、
前記電圧印加手段の作動を制御する制御手段と、
前記表示面に表示させる画像データを保持する画像データ保持部と、
前記画像データ保持部に保持された前記画像データを鏡像反転させる画像データ反転部とを有し、
前記表示シートを、前記表示面が前記画素電極側に位置するように前記載置部に載置した状態において、前記制御手段は、前記画像データ反転部により鏡像反転された前記画像データに基づいて、各前記画素電極と前記共通電極との間に所定電圧を印加するように前記電圧印加手段の作動を制御することを特徴とする。
これにより、表示シートに所望の画像を高精度に書き込むことのできる書き込み装置を提供することができる。
【００１０】
本発明の書き込み装置では、前記画像データ反転部により反転された前記画像データをポジティブ画像としたとき、前記ポジティブ画像をネガティブ画像に変換するポジ／ネガ変換部を有し、
前記制御手段は、前記画像データ反転部により反転されるとともに、前記ポジ／ネガ変換部によりネガティブ変換された前記画像データに基づいて、前記電圧印加手段の作動を制御することが好ましい。
これにより、表示シートに所望の画像高精度の画像を書き込むことができる。
【００１１】
本発明の書き込み装置は、表示シートの表示面に、所望の画像を書き込む書き込み装置であって、
前記表示シートを載置する載置部と、
前記載置部に前記表示シートを載置した状態にて、前記表示シートを介して対向する複数の画素電極および共通電極と、
各前記画素電極および前記共通電極間に電圧を印加する電圧印加手段と、
前記電圧印加手段の作動を制御する制御手段と、
前記表示面に表示させる画像データを保持する画像データ保持部と、
前記画像データ保持部に保持された前記画像データをポジティブ画像としたとき、前記ポジティブ画像をネガティブ画像に変換するポジ／ネガ変換部と、
前記ポジ／ネガ変換部により変換された前記画像データを鏡像反転させる画像データ反転部とを有し、
前記表示シートを、前記表示面が前記画素電極側に位置するように前記載置部に載置した状態において、前記制御手段は、前記ポジ／ネガ変換部によりポジティブ画像に変換されるとともに、前記画像データ反転部により鏡像反転された前記画像データに基づいて、各前記画素電極と前記共通電極との間に所定電圧を印加するように前記電圧印加手段の作動を制御することを特徴とする。
これにより、表示シートに所望の画像を高精度に書き込むことのできる書き込み装置を提供することができる。
【００１２】
本発明の書き込み装置は、表示シートの表示面に、所望の画像を書き込む書き込み装置であって、
前記表示シートを載置する載置部と、
前記載置部に前記表示シートを載置した状態にて、前記表示シートを介して対向する複数の画素電極および共通電極と、
各前記画素電極および前記共通電極間に電圧を印加する電圧印加手段と、
前記電圧印加手段の作動を制御する制御手段と、
前記表示面に表示させる画像データを保持する画像データ保持部と、
前記画像データ保持部に保持された前記画像データを鏡像反転させるとともに、ネガティブ画像に変換する画像データ補正部とを有し、
前記表示シートを、前記表示面が前記画素電極側に位置するように前記載置部に載置した状態において、前記制御手段は、前記画像データ補正部により補正された前記画像データに基づいて、各前記画素電極と前記共通電極との間に所定電圧を印加するように前記電圧印加手段の作動を制御することを特徴とする。
これにより、表示シートに所望の画像を高精度に書き込むことのできる書き込み装置を提供することができる。
【００１３】
本発明の書き込み装置では、前記画像データは、前記表示シートを、前記表示面が前記共通電極側に位置するように前記載置部に載置した状態において前記表示面に書き込まれる前記所望の画像に対応するものであることが好ましい。
本発明の書き込み装置では、前記画素電極および前記共通電極が前記表示シートと接触した状態で、前記電圧印加手段による電圧印加が行われることが好ましい。
これにより、画素電極および共通電極と表示シートとの間に、空気層からなる絶縁層が形成されるのを防止することができ、より確実に、表示シートに所定の電界を作用させることができる。そのため、表示シートに所望の画像をより高精度に書き込むことができる。
【００１４】
本発明の書き込み装置では、前記載置部に前記表示シートを押し当てる押し当て部材を有していることが好ましい。
これにより、表示シートを書き込み装置の載置部に押し当てることができるため、表示シートを載置部に固定することができ、書き込み装置による表示シートへの画像の書き込みを、安定して行うことができる。
本発明の書き込み装置では、前記共通電極は、前記押し当て部材に設けられていることが好ましい。
これにより、共通電極と表示シートとを密着することができ、共通電極と表示シートとの間に、空気層からなる絶縁層が形成されるのを確実に防止することができる。
【００１５】
本発明の書き込み装置では、前記載置部が設けられた本体と、
前記本体に対して回動可能なように、前記本体と連結した蓋体とを有し、
前記蓋体は、前記押し当て部材を兼ねていることが好ましい。
これにより、書き込み装置の構成を簡単なものとすることができる。
本発明の書き込み装置では、前記共通電極は、前記表示シートに設けられていることが好ましい。
これにより、書き込み装置の構成を簡単なものとすることができる。
【００１６】
本発明の書き込み装置では、前記表示シートは、電気泳動粒子を収容する収容部を有する表示層を備えることが好ましい。
これにより、書き込み装置により所望の画像が書き込まれる表示シートの構成を簡単なものとすることができる。
本発明の書き込み装置では、前記収容部は、マイクロカプセルであることが好ましい。
これにより、表示シートの構成を簡単なものとすることができる。
【００１７】
本発明の書き込み装置は、表示面を有する表示シートを載置する載置部と、前記載置部に前記表示シートを載置した状態にて、前記表示シートを介して対向する複数の画素電極および共通電極と、各前記画素電極および前記共通電極間に電圧を印加する電圧印加手段とを有する表示装置の動作を制御し、
前記表示装置は、前記表示シートを前記表示面が前記画素電極側に位置するように前記載置部に載置した状態において、前記電圧印加手段によって、各前記画素電極と前記共通電極との間に所定電圧を印加することにより、前記表示シートの表示面に所望の画像を書き込む書き込み装置であって、
前記表示面に表示させる画像データを保持する画像データ保持部と、
前記画像データ保持部に保持された前記画像データを鏡像反転させる画像データ反転部と、
前記画像データ反転部により鏡像反転された前記画像データに基づいて、各前記画素電極と前記共通電極との間に所定電圧を印加するように前記電圧印加手段の作動を制御する制御手段とを有することを特徴とする。
これにより、表示シートに所望の画像を高精度に書き込むことのできる書き込み装置を提供することができる。
【００１８】
本発明の書き込み装置は、表示面を有する表示シートを載置する載置部と、前記載置部に前記表示シートを載置した状態にて、前記表示シートを介して対向する複数の画素電極および共通電極と、各前記画素電極および前記共通電極間に電圧を印加する電圧印加手段とを有する表示装置の動作を制御し、
前記表示装置は、前記表示シートを前記表示面が前記画素電極側に位置するように前記載置部に載置した状態において、前記電圧印加手段によって、各前記画素電極と前記共通電極との間に所定電圧を印加することにより、前記表示シートの表示面に所望の画像を書き込む書き込み装置であって、
前記表示面に表示させる画像データを保持する画像データ保持部と、
前記画像データ保持部に保持された前記画像データをポジティブ画像としたとき、前記ポジティブ画像をネガティブ画像に変換するポジ／ネガ変換部と、
前記ポジ／ネガ変換部により変換された前記画像データを鏡像反転させる画像データ反転部と、
前記ポジ／ネガ変換部によりポジティブ画像に変換されるとともに、前記画像データ反転部により鏡像反転された前記画像データに基づいて、各前記画素電極と前記共通電極との間に所定電圧を印加するように前記電圧印加手段の作動を制御する制御手段とを有することを特徴とする。
これにより、表示シートに所望の画像を高精度に書き込むことのできる書き込み装置を提供することができる。
【００１９】
本発明の書き込み装置は、表示面を有する表示シートを載置する載置部と、前記載置部に前記表示シートを載置した状態にて、前記表示シートを介して対向する複数の画素電極および共通電極と、各前記画素電極および前記共通電極間に電圧を印加する電圧印加手段とを有する表示装置の動作を制御し、
前記表示装置は、前記表示シートを前記表示面が前記画素電極側に位置するように前記載置部に載置した状態において、前記電圧印加手段によって、各前記画素電極と前記共通電極との間に所定電圧を印加することにより、前記表示シートの表示面に所望の画像を書き込む書き込み装置であって、
前記表示面に表示させる画像データを保持する画像データ保持部と、
前記画像データ保持部に保持された前記画像データを鏡像反転させるとともに、ネガティブ画像に変換する画像データ補正部と、
前記画像データ補正部により補正された前記画像データに基づいて、各前記画素電極と前記共通電極との間に所定電圧を印加するように前記電圧印加手段の作動を制御する制御手段とを有することを特徴とする。
これにより、表示シートに所望の画像を高精度に書き込むことのできる書き込み装置を提供することができる。
【図面の簡単な説明】
【００２０】
【図１】本発明の書き込み装置の第１実施形態を模式的に示す斜視図である。
【図２】図１に示す書き込み装置の断面図である。
【図３】図１に示す書き込み装置の制御系を示すブロック図である。
【図４】図１に示す書き込み装置により画像が書き込まれる表示シートを示す断面図である。
【図５】図１に示す書き込み装置により画像が書き込まれる表示シートを示す断面図である。
【図６】図１に示す書き込み装置により画像が書き込まれる表示シートを示す断面図である。
【図７】図１に示す書き込み装置により画像が書き込まれる表示シートを示す断面図である。
【図８】画像データの補正を説明する図である。
【図９】画像データの補正を説明する図である。
【図１０】画像データの補正を説明する図である。
【図１１】図４に示す表示シートの作動を説明する断面図である。
【図１２】図４に示す表示シートの作動を説明する断面図である。
【図１３】所望の画像が書き込まれた表示シートを示す斜視図である。
【図１４】電界の様子を示す断面図である。
【図１５】本発明の書き込み装置の第２実施形態を模式的に示す斜視図である。
【図１６】図１５に示す書き込み装置により画像が書き込まれる表示シートを示す断面図である。
【図１７】従来技術を説明するための断面図である。
【図１８】従来技術を説明するための断面図である。
【発明を実施するための形態】
【００２１】
以下、本発明の書き込み装置の好適な実施形態について、添付図面を参照しつつ説明する。
＜第１実施形態＞
図１は、本発明の書き込み装置の第１実施形態を模式的に示す斜視図、図２は、図１に示す書き込み装置の断面図、図３は、図１に示す書き込み装置の制御系を示すブロック図、図４ないし図７は、それぞれ、図１に示す書き込み装置により画像が書き込まれる表示シートを示す断面図、図８ないし図１０は、それぞれ、画像データの補正を説明する図、図１１および図１２は、それぞれ、図４に示す表示シートの作動を説明する断面図、図１３は、所望の画像が書き込まれた表示シートを示す斜視図、図１４は、電界の様子を示す断面図である。なお、以下では、説明の都合上、図１、図２、図４〜図１３の上側を「上」、下側を「下」として説明を行う。また、図８〜図１０の左側を「左」、右側を「右」として説明を行う。
【００２２】
≪書き込み装置１≫
書き込み装置１は、表示シート９の表示面９２１に、所望の画像を書き込む（表示させる）ための装置である。
図１に示すように、書き込み装置１は、本体２と、本体２に対して回動可能に連結した蓋体（押し当て部材）３とを有している。また、図２に示すように、書き込み装置１は、蓋体３に設けられた共通電極３１と、本体２に設けられたＴＦＴアレイ基板２１と、ＴＦＴアレイ基板２１が有するＴＦＴ（図示せず）に対応するように設けられた複数の画素電極（部分電極）２２とを有している。また、図３に示すように、書き込み装置１は、画素電極２２および共通電極３１間に電圧を印加する電圧印加手段４と、電圧印加手段４の作動を制御する制御手段５と、画像データＤａを保持する画像データ保持部６と、画像データＤａを補正する画像データ補正部７とを有している。
このような書き込み装置１は、表示面９２１が画素電極２２側に位置するように、表示シート９を本体２と蓋体３とで挟み込んだ状態にて、制御手段５が、画像データ補正部７により補正された補正画像データＤａ”に基づいて、電圧印加手段４の作動を制御するように構成されている。
【００２３】
本体２は、ほぼ長方形の平面視形状をなしている。そして、本体２には、各画素電極２２が本体２の上面２ａに臨むようにして、ＴＦＴアレイ基板２１が設けられている。本体２の上面２ａは、表示シート９を載置するための載置部としても機能する。なお、以下では、説明の便宜上、本体２の上面２ａを「載置部２ａ」とも言う。
ここで、特に、各画素電極２２は、上面２ａに露出するように設けられているのが好ましい。これにより、表示シート９を載置部２ａに載置したとき、表示シート９と各画素電極２２とを直接、接触させることができる。すなわち、別部材を介さずに、表示シート９と各画素電極２２とを接触させることができるため、別部材による電流のリーク等を防止でき、表示シート９の所定の領域に、所望の電界を作用させることができる。
【００２４】
ＴＦＴアレイ基板２１は、複数のゲート線（図示せず）と、ゲート線に直交する複数のデータ線（図示せず）と、これらゲート線とデータ線との交点に設けられたＴＦＴ２１１とを有している。そして、隣り合う一対のデータ線と、隣り合う一対のゲート線とで囲まれた領域に、ＴＨＴ２１１と接続された１つの画素電極２２が設けられている。なお、ＴＦＴアレイ基板２１としては、公知のものを用いることができるため、その詳細な説明を省略する。
【００２５】
本体２の上面２ａには、表示シート９の載置位置を定める位置決め部が設けられていてもよい。これにより、載置部２ａの所定の位置に表示シート９を載置することができ、より確実に、表示シート９に所望の画像を書き込むことができる。位置決め部としては、例えば、上面２ａから突出した突起が挙げられる。前記突起に表示シート９の縁を当て付けることにより、表示シート９を所定の位置に載置することができる。
【００２６】
複数の画素電極２２は、載置部２ａに表示シート９を載置したときに、表示シート９を包含できるように、表示シート９の平面視形状と等しい領域か、それよりも大きい領域にわたって、マトリクス状に設けられている。これにより、表示シート９の全域に後述するような電界を作用させることができ、表示面９２１に、所望の画像を書き込むことができる。
【００２７】
一方、蓋体３は、本体２に連結しており、本体２の載置部２ａ側にて本体２に対して回動可能となっている。そのため、蓋体３を開いた状態で表示シート９を載置部２ａに載置し、その後、蓋体３を閉じることにより、表示シート９を本体２と蓋体３とで挟み込むことができる。蓋体３により表示シート９を載置部２ａに押し当てることができるため、表示シート９を載置部２ａに固定することができ、書き込み装置１による表示シート９への画像の書き込みを安定して行うことができる。
【００２８】
また、蓋体３の下面（閉状態にて、本体側に位置する面）には、共通電極３１が設けられている。そして、蓋体３が閉状態のときに、共通電極３１は、複数の画素電極２２と対向する。このように、蓋体３の下面に共通電極３１を設けることにより、蓋体３が閉状態のときに、共通電極３１と表示シート９とを密着することができ、共通電極３１と表示シート９との間に、別部材や、空気層（絶縁層）が形成されるのを確実に防止することができる。そのため、例えば別部材により電流がリークしたり、絶縁層により電界の強度が変化したりするのを防止でき、確実に、表示シート９の所定の領域に、所望の電界を作用させることができる。
このように、書き込み装置１を、本体２と、本体２に対して回動可能な蓋体３とを有する構成とすることにより、書き込み装置１の構成を簡単なものとすることができるとともに、その使い勝手を向上させることができる。
【００２９】
次いで、書き込み装置１が有する制御系について説明する。図３に示すように、書き込み装置１は、電圧印加手段４と、制御手段５と、画像データ保持部６と、画像データ補正部７とを有している。
画像データ保持部６は、表示シート９の表示面９２１に表示させたい（書き込みたい）画像の画像データＤａを保持（保存）する機能を有する。画像データＤａは、例えば、パソコン等の外部装置を書き込み装置１に接続することにより取り込むことができる。その他、書き込み装置１の構成によっては、例えば、ＣＤ、ＤＶＤ、ＳＤカード等の記録媒体から直接読み込むこともできる。
【００３０】
ここで、この画像データＤａは、書き込み装置１を、その上側（すなわち蓋体３が閉じられた状態にて、共通電極３１側）から見たときに、載置部２ａに載置された表示シート９に書き込まれる画像データである。書き込み装置（本発明の書き込み装置）１では、表示シート９を、その表示面９２１を下側（画素電極２２側）に向けて、載置部２ａに載置する。そのため、画像データ保持部６に保持された画像データＤａに基づいて、各画素電極２２および共通電極３１間に電圧を印加すると、表示面９２１には、画像データＤａに対して、鏡像反転するとともに、白黒反転した画像が書き込まれる。
書き込み装置１では、このような問題を解決するために、画像データ補正部７が設けられている。すなわち、画像データ補正部７は、書き込み装置１の載置部２ａに載置された表示シート９の表示面９２１に、所望の画像が表示されるように、画像データ保持部６に保持された画像データＤａを補正する機能を有している。
【００３１】
図３に示すように、画像データ補正部７は、画像データ反転部７１と、ポジ／ネガ変換部７２とを有している。画像データ反転部７１は、画像データＤａを鏡像反転させ、画像データＤａ’を形成する機能を有している。また、ポジ／ネガ変換部７２は、画像データ反転部７１により形成された画像データＤａ’の白黒を反転させ、画像データＤａ”を形成する機能（すなわち、画像データＤａ’をポジティブ画像としたときに、これをネガティブ画像に変換する機能）を有している。
このような画像データ補正部７によって補正された画像データＤａ”に基づいて、各画素電極２２および共通電極３１間に電圧を印加すれば、表示シート９の表示面９２１には、所望の画像（画像データＤａに相当する画像）が書き込まれる。
【００３２】
制御手段５は、画像データ補正部７により補正された画像データＤａ”に基づいて、電圧印加手段４の作動を制御する機能を有している。このような制御手段５は、例えば、ＣＰＵで構成されている。
電圧印加手段４は、各画素電極２２および共通電極３１間に電圧を印加する機能を有している。電圧印加手段４は、ＴＦＴアレイ基板に形成されたＴＦＴ等のスイッチング素子２１１により、画素電極２２ごとに共通電極３１との間に電圧を印加するか否かを選択することができる。また、電圧印加手段４は、所定の画素電極２２と共通電極３１との間に電圧を印加する場合に、画素電極２２および共通電極３１のうちのどちらの電極を高電位とするかを選択することもできる。
以上、書き込み装置１の構成について、詳細に説明した。
【００３３】
次いで、書き込み装置１によって所望の画像が書き込まれる表示シートについて説明する。表示シートとしては、メモリ性を有してれば、どのような構成であってもよく、例えば、下記に記載の表示シート９〜９Ｃなどを用いることができる。なお、本実施形態では、前述しているように、表示シート９を用いた場合について代表して説明する。
【００３４】
≪表示シート９≫
表示シート９は、電気泳動粒子の電気泳動を利用して画像の表示を行う電気泳動表示シートである。
図４に示すように、表示シート９は、表示層９１と、表示層９１の両面に設けられた保護シート（保護フィルム）９２、９３とで構成されている。このような表示シート９では、保護シート９２の上面が表示面９２１を構成しており、表示面９２１を介して表示層９１を視認することにより、所定の画像を認識することができる。
図４に示すように、表示層９１は、複数のマイクロカプセル（収容部）９１１がバインダ９１２で固定（保持）されることにより構成されている。また、複数のマイクロカプセル９１１は、保護シート９２、９３の間に、縦横に並列するように単層で（厚さ方向に重なることなく１個ずつ）配設されている。
【００３５】
マイクロカプセル９１１は、球状のカプセル本体（殻体）９１１ａを有しており、その内部（内部空間）には、電気泳動分散液が充填されている。電気泳動分散液は、正に帯電する白色の正帯電粒子Ａと、負に帯電する黒色の負帯電粒子Ｂとを液相分散媒に分散（懸濁）してなるものである。すなわち、表示シート９は、白黒表示が可能な表示シートである。なお、正帯電粒子Ａおよび負帯電粒子Ｂの色としては、互いに異なっていれば、特に限定されず、赤色、青色、緑色などの有彩色や、金色、銀色等の金属光沢色から目的に合わせて適宜選択することができる。
正帯電粒子Ａおよび負帯電粒子Ｂには、電荷を有するものであれば、いかなるものをも用いることができ、特に限定はされないが、顔料粒子、樹脂粒子またはこれらの複合粒子のうちの少なくとも１種が好適に使用される。これらの粒子は、製造が容易であるとともに、帯電量の制御を比較的容易に行うことができるという利点を有している。
【００３６】
バインダ９１２は、例えば、保護シート９２、９３を表示層９１に接合する目的、保護シート９２、９３の間に複数のマイクロカプセル９１１を固定する目的等により供給される。このバインダ９１２には、保護シート９２、９３およびカプセル本体９１１ａとの親和性（密着性）に優れ、かつ、絶縁性に優れる樹脂材料が好適に使用される。
保護シート９２、９３は、絶縁性を有するシート状の部材で構成されている。このような保護シート９２、９３は、表示層９１を保護する機能を有している。なお、保護シート９２、９３は、必要に応じて省略することができる。
【００３７】
保護シート９２は、表示面９２１を構成するために光透過性を有するもの、すなわち、実質的に透明（無色透明、有色透明または半透明）とされる。一方、保護シート９３については、保護シート９２のような光透過性の有無は問わない。このような保護シート９２、９３は、可撓性を有するもの、硬質なもののいずれであってもよいが、可撓性を有するものであるのが好ましい。可撓性を有する保護シート９２、９３を用いることにより、可撓性を有する表示シート９を得ることができる。これにより、表示シート９の利便性が向上する（表示シート９を紙のように扱うことができる）。
【００３８】
保護シート９２、９３間には、それらの縁部に沿うようにして封止部９４が設けられている。この封止部９４により、表示層９１が気密的に封止されている。これにより、表示シート９内への水分の浸入を防止して、表示シート９の表示性能の劣化をより確実に防止することができる。
以上のような表示シート９によれば、表示シートの構成が簡単なものとなる。
【００３９】
≪表示シート９Ａ≫
図５に示すように、表示シート９Ａは、表示層９１Ａと、表示層９１Ａの両面に設けられた保護シート（保護フィルム）９２Ａ、９３Ａとで構成されている。このような表示シート９Ａでは、保護シート９２Ａの上面が表示面９２１Ａを構成しており、表示面９２１Ａを介して表示層９１Ａを視認することにより、所定の画像を認識することができる。なお、保護シート９２Ａ、９３Ａについては、前述した表示シート９の保護シート９２、９３と同様の構成であるため、その説明を省略する。
【００４０】
図５に示すように、表示層９１Ａは、格子状の隔壁９１１Ａを有している。この隔壁９１１Ａは、絶縁性を有している。隔壁９１１Ａは、光透過性の有無は問わない。すなわち、隔壁９１１Ａは、透明であってもよいし、白色などに着色されていてもよい。このような隔壁９１１Ａと保護シート９２Ａ、９３Ａとで画成された複数の収容部Ｓには、電気泳動分散液が充填されている。電気泳動分散液は、表示シート９のマイクロカプセル９１１中に充填されたものと同様である。
【００４１】
≪表示シート９Ｂ≫
図６に示すように、表示シート９Ｂは、表示層９１Ｂと、表示層９１Ｂの両面に設けられた保護シート（保護フィルム）９２Ｂ、９３Ｂとで構成されている。このような表示シート９Ｂでは、保護シート９２Ｂの上面が表示面９２１Ｂを構成しており、表示面９２１Ｂを介して表示層９１Ｂを視認することにより、所定の画像を認識することができる。なお、保護シート９２Ｂ、９３Ｂについては、前述した表示シート９の保護シート９２、９３と同様の構成であるため、その説明を省略する。
【００４２】
図６に示すように、表示層９１Ｂは、格子状の隔壁９１１Ｂを有している。隔壁９１１Ｂは、前述した表示シート９Ａの隔壁９１１Ａと同様の構成であるため、その説明を省略する。
隔壁９１１Ｂと保護シート９２Ｂ、９３Ｂとで画成された複数の収容部Ｓ中には、それぞれ、正に帯電する白色の正帯電粒子Ａと、負に帯電する黒色の負帯電粒子Ｂとが飛散している。
【００４３】
すなわち、前述した表示シート９、９Ａが、それぞれ、粒子を液体に分散させているのに対して、表示シート９Ｂでは、粒子を気体中に飛散させている。言い換えれば、表示シート９、９Ａが収容部内で粒子を泳動させることにより画像を表示するタイプであるのに対して、表示シート９Ｂは、収容部内で粒子を飛翔させることにより画像を表示するタイプである。
【００４４】
≪表示シート９Ｃ≫
表示シート９Ｃは、前述した表示シート９〜９Ｃのように、粒子の泳動や飛翔を利用したものではなく、液晶表示技術を用いた表示シートである。
図７に示すように、表示シート９Ｃは、表示層９１Ｃと、表示層９１Ｃの両面に設けられたガラス基板９２Ｃ、９３Ｃと、ガラス基板９３Ｃの表示層９１と反対の面側に設けられた着色層９５Ｃとを有している。このような表示シート９Ｃでは、ガラス基板９２Ｃの上面が表示面９２１Ｃを構成している。
【００４５】
表示層９１Ｃは、ガラス基板９２Ｃの下面に設けられた配向膜９１１Ｃと、ガラス基板９３Ｃの上面に設けられた配向膜９１２Ｃと、これら一対の配向膜９１１Ｃ、９１２Ｃ間に位置するコレステリック液晶ＬＣとを有している。コレステリック液晶ＬＣは、作用する電界の強度（電圧の強さ）によって向きが変化する性質を有しており、電界の作用なくなった後も、その向きを維持することができる。すなわち、コレステリック液晶ＬＣは、メモリ性を有している。
このような表示シート９Ｃでは、コレステリック液晶ＬＣの上述のような向きの変化を利用して、表示面９２１Ｃ側から表示層９１Ｃに入射した光を、表示層９１Ｃで反射するのか、表示層９１Ｃを通過させるのかを、表示層９１Ｃの部分領域（画素）ごとに選択することにより、所望の画像を表示面９２１Ｃに表示することができる。
【００４６】
ガラス基板９２Ｃ、９３Ｃ間には、それらの縁部に沿うようにして封止部９４Ｃが設けられている。この封止部９４Ｃにより、表示層９１（コレステリック液晶ＬＣ）が気密的に封止されている。なお、ガラス基板９２Ｃ、９３Ｃ間には、これらの撓みを抑制するためのスペーサを設けてもよい。
着色層９５Ｃの色としては、特に限定されない。例えば、着色層９５Ｃを黒色にすれば、表示面９２１Ｃのうち、光が表示層９１Ｃを通過する領域が黒色に表示されることとなる。
以上、書き込み装置１に用いることのできる表示シートについて、いくつかの例を説明した。
【００４７】
次いで、書き込み装置１による表示シート９への書き込み方法を具体的に説明する。なお、以下では、説明の便宜上、載置部２ａに載置された表示シート９が、縦１０個×横１０個の画素電極２２を包含する場合について、代表して説明する。
まず、蓋体３を開いた状態とし、表示シート９を、その表示面９２１を画素電極２２側に向けて載置部２ａに載置する。その後、蓋体３を閉じると、表示シート９を介して各画素電極２２と共通電極３１とが対向する。さらに、各画素電極２２および共通電極３１と表示シート９とが別部材を介さずに接触する。これにより、前記別部材が起因するリーク電流の発生や、画素電極２２および共通電極３１と表示シート９との間に空気層（絶縁層）が形成されることを防止でき、表示シート９の所定の領域に、所望の強さの電界を作用させることができる。その結果、表示シート９に所望の画像を、より確実に書き込むことができる。
【００４８】
次いで、画像データ保持部６に、パソコン等の外部装置から送信された画像データＤａを保持する。この画像データＤａとして、以下では、図８に示すような、白色の背景に黒色で「Ｆ」と描かれた画像について代表して説明する。
ここで、図８に示す最小の四角い領域は、それぞれ、表示シート９に包含された画素電極２２を表している。図８中の横軸をｘ軸とし、縦軸をｙ軸としたとき、図示の各画素電極２２の位置は、（ｘ、ｙ）の座標により特定することができる。画像データ保持部６は、各画素電極２２について、その座標（位置）と表示色とを対応付けて保持することにより、画像データＤａを保持する。例えば、黒色領域を「１」とし、白色領域を「０」としたとき、座標（１、１）で特定される画素電極２２と「０」とを対応付けて保持し、座標（４、２）で特定される画素電極２２と「０」とを対応付けて保持し、座標（５、５）で特定される画素電極２２と「１」とを対応付けて保持する。
【００４９】
次いで、画像データ補正部７が、画像データ保持部６に保持された画像データＤａを補正する。
まず、画像データ補正部７は、画像データ反転部７１により、図９に示すように、画像データ保持部６に保持された画像データＤａを鏡像反転させた画像データＤａ’を形成する。画像データＤａを鏡像反転させる方法としては、特に限定されないが、例えば、次のような方法が挙げられる。
【００５０】
まず、画像データ反転部７１は、表示シート９の左右方向における中心線Ｌを特定する。本説明の場合、表示シート９の左右方向における中心線Ｌは、ｘ軸座標が「５」の画素電極２２と、ｘ軸座標が「６」の画素電極２２との間に位置する。
次いで、画像データ反転部７１は、中心線Ｌに対して対称な位置にある一対の画素電極２２同士の位置を入れ替える。例えば、座標（３、２）で特定される画素電極２２と、この画素電極２２と中心線Ｌに対して対称な位置関係にある座標（８、２）で特定される画素電極２２との位置を入れ替える。その結果、座標（３、２）で特定される画素電極２２の表示色が「白（０）」から「黒（１）」に変更され、座標（８、２）で特定される画素電極２２の表示色が「黒（１）」から「白（０）」に変更される。
【００５１】
これと同様に、座標（１、１０）で特定される画素電極２２と座標（１０、１０）で特定される画素電極２２、座標（４、４）で特定される画素電極２２と座標（７、４）で特定される画素電極２２等、全ての画素電極２２について、位置の入れ替え（表示色の再設定）を行う。これにより、図９に示すような、画像データＤａを鏡像反転した画像データＤａ’が形成される。
【００５２】
次いで、画像データ補正部７は、ポジ／ネガ変換部７２により、画像データ反転部７１により形成された画像データＤａ’を白黒を反転させ、画像データＤａ”を形成する。具体的には、ポジ／ネガ変換部７２は、各画素電極２２について、その画素電極２２に対応付けて保持されている表示色が「白（０）」ならば「黒（１）」へ、「黒（１）」ならば「白（０）」へ変更する。これにより、図１０に示すような、画像データＤａ’に対して白黒反転した画像データＤａ”（すなわち、画像データＤａ’をポジティブとしたときのネガティブな画像データＤａ”）が形成される。
【００５３】
以上、画像データ補正部７について説明したが、画像データＤａ”の形成方法としては、これに限定されない。例えば、まず、画像データＤａに対して表示色を白黒反転させた画像データを形成した後、この白黒反転させた画像データを鏡像反転させることにより画像データＤａ”を形成してもよいし、画像データＤａに対して白黒反転と鏡像反転とを同時に行うことにより、画像データＤａ”を形成してもよい。また、鏡像反転および白黒反転の方法としては、特に限定されず、それぞれ、公知の各種処理技術を用いることができる。
【００５４】
次いで、前述のようにして補正された画像データＤａ”に基づいて、制御手段５が電圧印加手段４の作動を制御し、各画素電極２２と共通電極３１との間に、所定の電圧を印加する。具体的には、画像データＤａ”にて、表示色が「白（０）」である画素電極２２と共通電極３１との間は、画素電極２２が共通電極３１よりも高電位となるような第１の電圧Ｖ１を印加する。一方、画像データＤａ”にて、表示色が「黒（１）」である画素電極２２と共通電極３１との間には、画素電極２２が共通電極３１よりも低電位となるような第２の電圧Ｖ２を印加する。
【００５５】
図１１に示すように、画素電極２２および共通電極３１間に第１の電圧Ｖ１を印加すると、これら電極の間に位置するマイクロカプセル９１１内では、白色の正帯電粒子Ａが画素電極２２に向けて泳動し、黒色の負帯電粒子Ｂが共通電極３１に向けて泳動する。その結果、マイクロカプセル９１１の画素電極２２側に正帯電粒子Ａが偏在し、共通電極３１側に負帯電粒子Ｂが偏在する。これにより、表示面９２１のうち、このマイクロカプセル９１１が位置する領域では、白色が表示される。
【００５６】
一方、図１２に示すように、画素電極２２および共通電極３１間に第２の電圧Ｖ２を印加すると、これら電極の間に位置するマイクロカプセル９１１内では、黒色の負帯電粒子Ｂが画素電極２２に向けて泳動し、白色の正帯電粒子Ａが共通電極３１に向けて泳動する。その結果、マイクロカプセル９１１の画素電極２２側に負帯電粒子Ｂが偏在し、共通電極３１側に正帯電粒子Ａが偏在する。これにより、表示面９２１のうち、このマイクロカプセル９１１が位置する領域では、黒色が表示される。
【００５７】
このように、各画素電極２２について、その画素電極２２に設定されている表示色（白（０）または黒（１））に合わせた電圧（第１の電圧Ｖ１または第２の電圧Ｖ２）を印加することにより、表示シート９の表示面９２１に所望の画像（すなわち画像データＤａに対応する画像）が表示される。
このような電圧印加が終了した後、蓋体３を開き、載置部２ａから表示シート９を取り除くことにより、図１３に示すように、表示面９２１に所望の画像が表示された表示シート９を得ることができる。
【００５８】
以上、書き込み装置１による表示シート９への画像の書き込み方法について説明した。このような書き込み装置１によれば、表示シート９を、その表示面９２１が画素電極２２側に位置するように載置部２ａに載置した状態で、前述したような書き込み（電圧印加）を行うため、表示シート９の表示面９２１に、所望の画像を高精度に表示させる（書き込む）ことができる。
【００５９】
具体的には、図１４に示すように、所定の１つの画素電極２２と共通電極３１との間に電圧を印加した場合、画素電極２２から共通電極３１に向けて拡散するような電界が生じる。図１４に記載された電界の強度分布からも分かるように、このような電界は、画素電極側では、１つの画素電極２２の領域とほぼ等しい領域に作用しているのに対して、共通電極３１側では、１つの画素電極２２の領域よりも大きな領域に作用している。そのため、画素電極２２側に表示面９２１が位置するように、表示シート９を載置部２ａに載置することにより、表示面９２１の１つの画素の大きさを、画素電極２２の大きさとほぼ等しくすることができる。その結果、表示シート９の表示面９２１には、所望の画像と同じ、高精度な画像を表示することができる。
これに対して、従来のように、共通電極３１側に表示面９２１が位置するように表示シート９を載置部２ａに載置すると、表示面９２１の１つの画素の大きさが、画素電極２２の大きさよりも大きくなってしまい、表示シート９の表示面９２１には、所望の画像に対して精細度が低下した画像が表示される（従来技術の欄参照）。
【００６０】
なお、本実施形態では、表示シートとして、粒子の電気泳動を利用した表示シート９を用いた場合について代表して説明したが、表示シートとして、コレステリック液晶を用いた表示シート９Ｃを用いる場合には、画像データ補正部７のポジ／ネガ変換部７２による、画像データＤａ’の白黒反転を省略することができる。すなわち、この場合には、制御手段５が、画像データ反転部７１により形成された画像データＤａ’に基づいて、電圧印加手段４の作動を制御する。
【００６１】
また、本実施形態では、画素電極２２が形成された領域と表示シート９の平面視形状がほぼ一致する場合、すなわち全ての画素電極２２が、表示シート９に包含される場合について説明したが、これに限定されず、例えば表示シート９が一部の画素電極２２を包含する場合（例えば、画素電極２２が設けられた領域がＡ４サイズに相当する場合に、Ｂ４サイズの表示シート９を載置する場合等）であってもよい。
このような場合には、書き込み装置１は、載置部２ａに載置された表示シート９が包含する複数の画素電極２２を特定し、特定された複数の画素電極２２において、前述したような画像データＤａの左右反転およびポジ／ネガ変換を行えばよい。
【００６２】
また、本実施形態では、画素電極２２が形成された領域と表示シート９の平面視形状がほぼ一致する場合、すなわち全ての画素電極２２が、表示シート９に包含される場合について説明したが、これに限定されず、例えば表示シート９が一部の画素電極２２を包含する場合（例えば、画素電極２２が設けられた領域がＡ４サイズに相当する場合に、Ｂ４サイズの表示シート９を載置する場合等）であってもよい。
【００６３】
＜第２実施形態＞
次に、本発明の書き込み装置の第２実施形態について説明する。
図１５は、本発明の書き込み装置の第２実施形態を模式的に示す斜視図、図１６は、図１５に示す書き込み装置により画像が書き込まれる表示シートを示す断面図である。なお、以下では、説明の都合上、図１５および図１６の上側を「上」、下側を「下」として説明を行う。
【００６４】
以下、第２実施形態の書き込み装置について、前述した実施形態の書き込み装置との相違点を中心に説明し、同様の事項については、その説明を省略する。
本発明の第２実施形態にかかる書き込み装置１Ａは、共通電極が省略されている以外は、前述した第１実施形態の書き込み装置とほぼ同様である。なお、図１５および図１６にて、前述した実施形態と同様の構成には、同一符号を付してある。
【００６５】
図１５に示すように、本実施形態の書き込み装置１Ａでは、蓋体３の下面に共通電極３１が設けられていない。すなわち、書き込み装置１では、共通電極３１が省略されている。このような書き込み装置１を用いて所望の画像が書き込まれる表示シート９Ｄとして、次のような構成のものが好適に用いられる。
図１６に示すように、表示シート９Ｄは、表示層９１と、表示層９１の下面に設けられた共通電極９９と、表示層９１の上面に設けられた保護シート（保護フィルム）９２とで構成されている。このような表示シート９Ｄでは、保護シート９２の上面が表示面９２１を構成しており、表示面９２１を介して表示層９１を視認することにより、所定の画像を認識することができる。なお、例えば、必要に応じて、共通電極９９の下面に保護シートを設けてもよい。
【００６６】
このような表示シート９Ｄを、その表示面９２１を画素電極２２側に向けて載置部２ａに載置し、その後、蓋体３を閉じると、表示シート９Ｄの表示層９１を介して各画素電極２２と共通電極９９とが対向する。この状態にて、前述した第１実施形態と同様に、各画素電極２２と共通電極９９との間に電圧を印加することにより、表示シート９Ｄの表示面９２１に所望の画像を書き込むことができる。
本実施形態の書き込み装置によれば、共通電極を設けなくてもよいため、前述した第１実施形態と比較して、簡単な構成とすることができる。
このような第２実施形態によっても、第１実施形態と同様の効果を発揮することができる。
【００６７】
以上、図示の各実施形態に基づいて、本発明の書き込み装置を説明したが、本発明は、これらに限定されるものでない。例えば、本発明の書き込み装置では、各部の構成は、同様の機能を発揮する任意の構成のものに置換することができ、また、任意の構成を付加することもできる。
【符号の説明】
【００６８】
１、１Ａ……書き込み装置  ２……本体  ２ａ……載置部  ２１……ＴＦＴアレイ基板  ２１１……スイッチング素子  ２２……画素電極  ３……蓋体  ３１……共通電極  ４……電圧印加手段  ５……制御手段  ６……画像データ保持部  ７……画像データ補正部  ７１……画像データ反転部  ７２……ポジ／ネガ変換部  ９、９Ａ、９Ｂ、９Ｃ、９Ｄ……表示シート  ９１、９１Ａ、９１Ｂ、９１Ｃ……表示層  ９１１……マイクロカプセル  ９１１ａ……マイクロカプセル本体  ９１１Ａ、９１１Ｂ……隔壁  ９１１Ｃ、９１２Ｃ……配向膜  ９１２……バインダ  ９２、９２Ａ、９２Ｂ、９３、９３Ａ、９３Ｂ……保護シート  ９２１、９２１Ａ、９２１Ｂ、９２１Ｃ……表示面  ９２Ｃ、９３Ｃ……ガラス基板  ９４、９４Ｃ……封止部  ９５Ｃ……着色層  ９９……共通電極  １００……ドット電極  １０１……透明電極  Ａ……正帯電粒子  Ｂ……負帯電粒子  Ｓ……収容部  Ｌ……中心線
【図１】
2011043770.tif 000003
【図２】
2011043770.tif 000004
【図３】
2011043770.tif 000005
【図４】
2011043770.tif 000006
【図５】
2011043770.tif 000007
【図６】
2011043770.tif 000008
【図７】
2011043770.tif 000009
【図８】
2011043770.tif 000010
【図９】
2011043770.tif 000011
【図１０】
2011043770.tif 000012
【図１１】
2011043770.tif 000013
【図１２】
2011043770.tif 000014
【図１３】
2011043770.tif 000015
【図１４】
2011043770.tif 000016
【図１５】
2011043770.tif 000017
【図１６】
2011043770.tif 000018
【図１７】
2011043770.tif 000019
【図１８】
2011043770.tif 000020